(57)【要約】【課題】携帯電話機に備えたメモリに保存されたデータを簡便にかつ確実に保存するためのデータ保存システムを提供する。【解決手段】電池２８の充電が開始されると格納されたデータを外部に送信する携帯電話機２１と、外部と通信可能に接続される、上記データを保存するコンピュータ３１と、携帯電話機２１から受信するデータを格納するための記憶部１４、および、携帯電話機２１から受信したデータを記憶部１４に格納し、コンピュータ３１が起動した場合に記憶部１４に格納されたデータをコンピュータ３１に送信するホルダ制御部１７を備えた充電器用ホルダ１１と、を有する構成である。【選択図】　図２
2004015511.tif 000002
【特許請求の範囲】
【請求項１】
電池の充電が開始されると、格納されたデータを外部に送信する携帯電話機と、
外部と通信可能に接続される、前記データを保存するコンピュータと、
前記携帯電話機から受信するデータを格納するための記憶部、および、前記携帯電話機から受信したデータを前記記憶部に格納し、前記コンピュータが起動した場合に、前記記憶部に格納されたデータを前記コンピュータに送信するホルダ制御部を備えた充電器用ホルダと、
を有するデータ保存システム。
【請求項２】
保存された複数のデータから所望のデータを外部に送信するコンピュータと、
認証のために入力されたパスワードを外部に送信し、前記コンピュータから受信したデータを格納する携帯電話機と、
前記パスワードが予め登録された記憶部、および、前記携帯電話機から受信したパスワードと前記記憶部に登録されたパスワードとが一致するときに前記コンピュータと前記携帯電話機とを通信可能に接続するホルダ制御部を備えた充電器用ホルダと、
を有することを特徴とするデータ保存システム。
【請求項３】
請求項１または請求項２記載のデータ保存システムであって、
携帯電話機と充電器用ホルダとに赤外線によりデータを送受信させるための赤外線通信手段を有することを特徴とするデータ保存システム。
【請求項４】
請求項１または請求項２記載のデータ保存システムであって、
携帯電話機と充電器用ホルダとに無線によりデータを送受信させるための無線通信手段を有することを特徴とするデータ保存システム。
【請求項５】
請求項１または請求項２記載のデータ保存システムであって、
携帯電話機と充電器用ホルダとにデータを送受信させるためのインターフェース手段を有することを特徴とするデータ保存システム。
【請求項６】
コンピュータに保存されたデータを携帯電話機に格納するためのデータ保存方法であって、
予め、認証のためのパスワードが登録され、前記携帯電話機と通信可能に接続される充電器用ホルダを備え、
前記携帯電話機に入力されたパスワードを前記携帯電話機から前記充電器用ホルダに送信し、
前記携帯電話機から受信したパスワードと前記登録されたパスワードとが一致するときに前記コンピュータと前記携帯電話機とを前記充電器用ホルダを用いて通信可能に接続し、
前記充電器用ホルダを介して前記コンピュータから前記携帯電話機へ、該携帯電話機に保存するデータを送信するデータ保存方法。
【発明の詳細な説明】
【０００１】
【発明の属する技術分野】
本発明は、携帯電話機に備えたメモリに格納されたデータを保存するためのデータ保存システムおよびデータ保存方法に関する。
【０００２】
【従来の技術】
近年、携帯電話機は搭載カメラによる撮像、動画受信等の機能を備えて多機能化しており、多機能化に伴って携帯電話機に備えたメモリに格納されるデータの容量が増大するとともに、データ保存の重要性が増している。
【０００３】
携帯電話機に備えたメモリに保存されるデータとしては、例えば、電話番号およびその相手先氏名からなる電話番号リスト、静止画データ、動画データ、ならびにゲームソフトなどがある。電話番号リストは、携帯電話機の使用者の操作によりメモリに入力される。静止画データ、動画データおよびゲームソフトには、データを提供するウェブページからインターネットを介して携帯電話機にダウンロードされメモリに入力されるものがある。
【０００４】
【発明が解決しようとする課題】
上述のように、メモリに保存されるデータの重要性が高まっているにもかかわらず、メモリの障害によりデ−タが不慮として失われることがある。メモリに障害を発生させる原因として、取り扱い上の不注意により携帯電話機を水にぬらすことや携帯電話機を床に落として強い衝撃を与えること、および、湿度の高い場所での長時間の使用という悪条件下での使用などが考えられる。
【０００５】
失われたデータが電話番号リストであれば、使用者は携帯電話機を操作して電話番号およびその相手先氏名をメモリに入力し直さなければならず、手間がかかる。
【０００６】
失われたデータがインターネットを介して有料でダウンロードした静止画データ、動画データまたはゲームソフトであれば、データ受信の際に支払われた代金が無駄になる。
【０００７】
本発明は上記したような従来の技術が有する問題点を解決するためになされたものであり、携帯電話機に備えたメモリに保存されたデータを簡便にかつ確実に保存するためのデータ保存システムおよびデータ保存方法を提供することを目的とする。
【０００８】
【課題を解決するための手段】
上記目的を達成するための本発明のデータ保存システムは、電池の充電が開始されると、格納されたデータを外部に送信する携帯電話機と、
外部と通信可能に接続される、前記データを保存するコンピュータと、
前記携帯電話機から受信するデータを格納するための記憶部、および、前記携帯電話機から受信したデータを前記記憶部に格納し、前記コンピュータが起動した場合に、前記記憶部に格納されたデータを前記コンピュータに送信するホルダ制御部を備えた充電器用ホルダと、
を有する構成である。
【０００９】
また、本発明のデータ保存システムは、保存された複数のデータから所望のデータを外部に送信するコンピュータと、
認証のために入力されたパスワードを外部に送信し、前記コンピュータから受信したデータを格納する携帯電話機と、
前記パスワードが予め登録された記憶部、および、前記携帯電話機から受信したパスワードと前記記憶部に登録されたパスワードとが一致するときに前記コンピュータと前記携帯電話機とを通信可能に接続するホルダ制御部を備えた充電器用ホルダと、
を有する構成である。
【００１０】
また、上記いずれかの本発明のデータ保存システムであって、携帯電話機と充電器用ホルダとに赤外線によりデータを送受信させるための赤外線通信手段を有してもよく、また、携帯電話機と充電器用ホルダとに無線によりデータを送受信させるための無線通信手段を有してもよく、さらに、携帯電話機と充電器用ホルダとにデータを送受信させるためのインターフェース手段を有していてもよい。
【００１１】
上記目的を達成するための本発明のデータ保存方法は、コンピュータに保存されたデータを携帯電話機に格納するためのデータ保存方法であって、
予め、認証のためのパスワードが登録され、前記携帯電話機と通信可能に接続される充電器用ホルダを備え、
前記携帯電話機に入力されたパスワードを前記携帯電話機から前記充電器用ホルダに送信し、
前記携帯電話機から受信したパスワードと前記登録されたパスワードとが一致するときに前記コンピュータと前記携帯電話機とを前記充電器用ホルダを用いて通信可能に接続し、
前記充電器用ホルダを介して前記コンピュータから前記携帯電話機へ、該携帯電話機に保存するデータを送信することを特徴とする。
【００１２】
（作用）
上記のように構成される本発明では、携帯電話機の電池の充電が開始されると、携帯電話機に格納されたデータが充電器用ホルダに送信されて充電器用ホルダの記憶部に格納され、さらに、コンピュータが起動した場合に、充電器用ホルダの記憶部に格納されたデータがコンピュータに送信されて格納される。
【００１３】
また、本発明では、認証のために入力されたパスワードが携帯電話機から充電器用ホルダに送信され、充電器用ホルダで受信されたパスワードと記憶部に登録されたパスワードとが一致するときに携帯電話機とコンピュータとが通信可能に接続され、コンピュータに格納された複数のデータから所望のデータが充電器用ホルダを介して携帯電話機に送信されて格納される。
【００１４】
また、本発明では、携帯電話機と充電器用ホルダとの間でデータが赤外線通信により送受信されるため、携帯電話機と充電器用ホルダとでデータの送受信をするためのケーブルを必要とせず、携帯電話機を充電器用ホルダに取り付けるだけでデータの送受信が可能となる。
【００１５】
さらに、本発明では、携帯電話機と充電器用ホルダとの間でデータが無線通信により送受信されるため、無線通信手段を設ける位置に制約を受けない。
【００１６】
【発明の実施の形態】
本発明は、携帯電話機の充電器用卓上ホルダに、制御部、記憶部およびデータ送受信部を備えることで、携帯電話機の電池を充電させながら携帯電話機のメモリに格納されたデータを卓上ホルダの記憶部に一旦保存した後、コンピュータの記憶装置に保存することを特徴とする。
【００１７】
本発明のデータ保存システムについて説明する。
【００１８】
図１はデータ保存システムの一実施例の要部構成を示す外観斜視図である。図２はデータ保存システムの一実施例の構成を示すブロック図である。なお、本実施例に示す携帯電話機はメモリに格納されたデータの保存に関する部分を示すものであり、携帯電話基地局との電話の発着信および情報の送受信に関する機能を実行する部分については省略している。
【００１９】
図１および図２を参照しながら、データ保存システムの構成について説明する。
【００２０】
データ保存システムは、携帯電話機２１と、携帯電話機２１を立てた状態で取り付けられる形状を備えたＢＯＸタイプの充電器である卓上ホルダ１１と、卓上ホルダ１１とケーブル４０を介して通信可能に接続されるコンピュータ３１とを有する構成である。
【００２１】
携帯電話機２１は、電話番号リストおよび動画データなどのデータを保存するためのメモリ部２４と、データを赤外線信号に変換して卓上ホルダ１１と送受信するためのデータ送受信部となるＩｒＤＡ（Ｉｎｆｒａｒｅｄ　Ｄａｔａ　Ａｓｓｏｃｉａｔｉｏｎ）インターフェース部（以下、単にＩｒＤＡ部と称する。）２２ａと、使用者の指示を入力するための操作部２６と、操作部２６から入力される指示内容、および卓上ホルダ１１と送受信される情報を表示するための表示部２７と、メモリ部２４、ＩｒＤＡ部２２ａおよび表示部２８を制御する情報制御部２５と、各部に電源を供給するための電池２８とを有する構成である。
【００２２】
情報制御部２５は、電池２８の残量を監視し、電池２８に充電が開始されると、充電が開始されたことを認識して、メモリ部２４に格納されたデータをＩｒＤＡ部２２ａを介して卓上ホルダ１１に送信する。また、メモリ部２４にデータを保存するために卓上ホルダ１１からＩｒＤＡ部２２ａを介してデータを受信すると、受信したデータを記憶部１４に格納する。さらに、使用者が操作部２６を操作して入力される、認証のためのパスワードの情報を卓上ホルダ１１に送信する。
【００２３】
卓上ホルダ１１は、携帯電話機２１のメモリ２４にデータの書き込みをするためのスイッチであるダウンロードスイッチ（不図示）と、プリント基板１５と、携帯電話機２１の電池２８を充電するとともにプリント基板１５に電源を供給するための電圧変換部（不図示）とを備えている。電圧変換部（不図示）はコンセントプラグ１６を介して供給される交流電圧を所定の直流電圧に変換してプリント基板１５および携帯電話機２１に供給する。
【００２４】
プリント基板１５には、データを一時的に格納するための記憶部１４と、データを携帯電話機２１と送受信するためのＩｒＤＡ部１２ａと、ケーブルを介してコンピュータ３１とデータの送受信をするためのインターフェースとなるＵＳＢ（Ｕｎｉｖｅｒｓａｌ　Ｓｅｒｉａｌ　Ｂｕｓ）ポート１３と、記憶部１４、ＩｒＤＡ部１２ａおよびＵＳＢポート１３を制御するホルダ制御部１７とが設けられている。
【００２５】
なお、図１はプリント基板１５に設けられた構成をより見やすくするために、卓上ホルダ１１の本体から図の下方向にプリント基板１５が外された状態を示す。
【００２６】
ホルダ制御部１７は、携帯電話機２１からＩｒＤＡ部１２ａを介してデータを受信すると、受信したデータと受信日時の情報からなる履歴付データを記憶部１４に格納する。また、ＵＳＢポート１３を介してコンピュータ３１から起動した旨の信号を受信すると、記憶部１４に格納された履歴付データをケーブル４０を介してコンピュータ３１に送信する。また、上記ダウンロードスイッチ（不図示）がＯＮにされると、認証のために携帯電話機２１にパスワード入力を要求し、パスワードの情報を携帯電話機２１から受信すると、携帯電話機２１を介して記憶部１４に予め登録されたパスワードと比較して一致する場合には、携帯電話機２１とコンピュータ３１とを通信可能に接続する。一方、携帯電話機２１から受信するパスワードが記憶部１４に登録されたパスワードと一致しない場合には、コンピュータ３１との接続拒否を通知するためのメッセージを携帯電話機２１に送信する。
【００２７】
記憶部１４は、例えば、フラッシュメモリに代表される半導体メモリ素子、ハードディスク装置、および光ディスク装置である。
【００２８】
なお、卓上ホルダ１１に携帯電話機２１が取り付けられた状態で、ＩｒＤＡ部２２ａとＩｒＤＡ部１２ａの間でデータの送受信が可能となるように、ＩｒＤＡ部２２ａとＩｒＤＡ部１２ａは対向するように配置されている。
【００２９】
コンピュータ３１は、卓上ホルダ１１のＵＳＢポート１３とケーブル４０を介して接続されるＵＳＢポート３３と、携帯電話機２１から卓上ホルダ１１およびＵＳＢポート３３を介して受信するデータを保存するための記憶装置３４と、使用者の指示を入力するための操作部３６と、操作部３６から入力される指示内容、および記憶装置３４に格納されたデータについての情報を表示するための表示部３７と、記憶装置３４、ＵＳＢポート３３および表示部３７を制御する制御装置３５とを有する構成である。
【００３０】
制御装置３５は卓上ホルダ１１から上記履歴付データを受信すると、受信した履歴付データを記憶装置３４に格納する。また、コンピュータ３１の電源がＯＮされて起動すると、起動した旨の信号をＵＳＢポート３３を介して卓上ホルダ１１に送信する。さらに、携帯電話機２１と卓上ホルダ１１を介して通信可能に接続され、使用者が操作部３６を操作することで記憶装置３４に格納された複数の履歴付データからデータが選択されると、選択されたデータを卓上ホルダ１１を介して携帯電話機２１に送信する。
【００３１】
次に、上記構成によるデータ保存システムにおいて、携帯電話機２１のメモリ部２４に格納されたデータを卓上ホルダ１１の記憶部１４に保存する処理手順を説明する。
【００３２】
使用者が携帯電話機２１を卓上ホルダ１１に取り付けると、携帯電話機２１の電池２８に充電が開始される。情報制御部２５は、電池２８の充電が開始されたことを認識すると、メモリ２４に格納されたデータをＩｒＤＡ部２２ａを介して卓上ホルダ１１に送信する。卓上ホルダ１１のホルダ制御部１７は、ＩｒＤＡ部１２ａを介して携帯電話機２１からデータを受信すると、受信したデータを履歴付データにして記憶部１４に格納する。
【００３３】
上述のようにして、ホルダ制御部１７が携帯電話機２１からデータを受信する度に記憶部１４に履歴付データを記憶部１４に格納する。
【００３４】
次に、卓上ホルダ１１の記憶部１４に格納された履歴付データをコンピュータ３１の記憶装置３４に保存する処理手順を説明する。
【００３５】
使用者がコンピュータ３１の電源をＯＮすると、コンピュータ３１のＵＳＢポート３３が卓上ホルダ１１のＵＳＢポート１３と通信可能に接続される。ホルダ制御部１７は、コンピュータ３１から起動した旨の信号を受信すると、記憶部１４に格納された履歴付データをコンピュータ３１に送信する。コンピュータ３１の制御装置３５は、履歴付データを卓上ホルダ１１から受信すると、履歴付データを記憶装置３４に格納する。
【００３６】
次に、コンピュータ３１に備えた記憶装置３４に格納された複数の履歴付データから所望のデータを携帯電話機２１にダウンロードする処理手順を説明する。なお、卓上ホルダ１１の記憶部１４には携帯電話機２１の使用者の操作により携帯電話機２１を介して入力されたパスワードが登録されているものとする。
【００３７】
使用者が携帯電話機２１を卓上ホルダ１１に取り付けて、卓上ホルダ１１に備えたダウンロードスイッチ（不図示）をＯＮにすると、ホルダ制御部１７は携帯電話機２１にパスワード入力を要求する信号を送信する。携帯電話機２１の情報制御部２５は、パスワード入力を要求する信号を受信すると、パスワードの入力を要求する旨を通知するためのメッセージを表示部２７に表示させる。使用者が表示部２７に表示されたメッセージを見て操作部２６を操作してパスワードを入力すると、情報制御部２５は入力されたパスワードの情報を卓上ホルダ１１に送信する。
【００３８】
卓上ホルダ１１のホルダ制御部１７は、パスワードの情報を携帯電話機２１から受信すると、受信したパスワードの情報と記憶部１４に登録されているパスワードと比較して一致している場合には、携帯電話機２１とコンピュータ３１とを通信可能に接続する。
【００３９】
なお、ホルダ制御部１７は、受信したパスワードの情報と記憶部１４に登録されているパスワードと比較して一致していない場合には、コンピュータ３１との接続拒否を通知するためのメッセージを携帯電話機２１に送信する。携帯電話機２１の情報制御部２５は、メッセージをコンピュータ３１から受信すると、受信したメッセージを表示部２７に表示させ、処理を終了する。
【００４０】
上述のようにして携帯電話機２１とコンピュータ３１とが通信可能になると、携帯電話機２１の情報制御部２５は入力待ちの状態になる。
【００４１】
使用者がコンピュータ３１の操作部３６を操作して、記憶装置３４に格納された履歴付データに含まれるデータの内容を示す項目であるデータ項目の表示を要求すると、制御装置３５は、履歴付データから受信日時とデータ項目を読み出し、読み出した受信日時とデータ項目を受信日時の順で表示部３７に表示させる。使用者が表示部３７に表示されたデータ項目から携帯電話機２１にダウンロードしたいデータを操作部３６を操作して選択すると、制御装置３５は、選択されたデータを卓上ホルダ１１に送信する。
【００４２】
卓上ホルダ１１のホルダ制御部１７は、コンピュータ３１からデータを受信すると、受信したデータを携帯電話機２１に送信する。携帯電話機２１の情報制御部２５は、卓上ホルダ１１からデータを受信すると、受信したデータをメモリ部２４に格納する。
【００４３】
上述のようにして、使用者の希望するデータ毎に、コンピュータ３１でのデータの選択動作から携帯電話機２１のメモリ部２４への入力動作までの処理が繰り返されることで、所望のデータがコンピュータ３１から携帯電話機２１のメモリ部２４に格納される。
【００４４】
本発明では、携帯電話機２１が卓上ホルダ１１に取り付けられると、携帯電話機２１のＩｒＤＡ部２２ａと卓上ホルダ１１のＩｒＤＡ部１２ａとが通信可能になり、携帯電話機２１のメモリ２４に保存されているデータがＩｒＤＡ部２２ａからＩｒＤＡ部１２ａに送信され、ＩｒＤＡ部１２ａに受信されたデータは、卓上ホルダ１１の記憶部１４に一旦保存された後、コンピュータ３１の記憶装置３４に保存される。
【００４５】
そのため、過去に携帯電話機２１のメモリ部２４からコンピュータ３１の記憶装置３４に入力されて保存されたデータを編集することができるだけでなく、保存されたデータから、使用者の希望するデータを携帯電話機２１にダウンロードすることができる。
【００４６】
また、携帯電話機２１のメモリ部２４に格納されたデータがメモリ部２４の障害などにより消去されても、コンピュータ３１の記憶装置３４にデータが保存されているため、使用者が必要なデータを選択してメモリ部２４にダウンロードさせることができる。
【００４７】
データをダウンロードする際、使用者が正当な使用者であるか否かを確認する認証のためにパスワ−ドの入力を携帯電話機２１に求めることでセキュリティ対策を行っており、コンピュータ３１の記憶装置３４に保存されたデ−タが他人に盗用されることが防止される。
【００４８】
また、卓上ホルダ１１に携帯電話機２１を取り付けることで、携帯電話機２１とコンピュータ３１とでデータを送受信できるので、携帯電話機２１とコンピュータ３１とを直接に接続するためのケーブルを必要としない。
【００４９】
また、携帯電話機２１を使用しないときに、携帯電話機２１を卓上ホルダ１１に取り付けるだけで、携帯電話機２１の電池２８が充電されるだけでなく、メモリ部２４に格納されているデータが卓上ホルダ１１に備えた記憶部１４に格納される。そのため、卓上ホルダ１１に携帯電話機２１が取り付けられる度にデータが保存される。
【００５０】
さらに、コンピュータ３１が起動すると、コンピュータ３１と卓上ホルダ１１とが通信可能に接続され、記憶部１４に格納されていたデータがコンピュータ３１に備えた記憶装置３４に保存される。
【００５１】
なお、携帯電話機２１と卓上ホルダ１１との通信のためのデータ送受信部として、上記ＩｒＤＡ部１２ａ、２２ａのような赤外線通信手段の代わりに、Ｂｌｕｅｔｏｏｔｈモジュールなどの無線通信手段を用いてもよい。
【００５２】
上記無線通信手段を用いれば、赤外線通信のようにデータ送受信部を対向させる必要がなく、無線通信手段を設ける位置に制約を受けない。
【００５３】
また、携帯電話機２１と卓上ホルダ１１との間のデータ送受信部として、上記赤外線通信手段の代わりに、インターフェース手段としてＩ／Ｏ端子で通信可能に接続する構成を用いてもよい。
【００５４】
図３はデータ送受信部にＩ／Ｏ端子が設けられた場合の要部構成を示す外観斜視図である。なお、図３は、プリント基板１５に設けられた構成をより見やすくするために、図１と同様に、卓上ホルダ１１の本体から図の下方向にプリント基板１５が外された状態を示す。
【００５５】
図３に示すように、上記ＩｒＤＡ部１２ａ、２２ａの代わりにＩ／Ｏ端子１２ｂ、２２ｂが設けられており、携帯電話機２１が卓上ホルダ１１に取り付けられると端子同士が接触してデータの送受信ができるように、Ｉ／Ｏ端子１２ｂ、２２ｂが配置されている。
【００５６】
上記Ｉ／Ｏ端子１２ｂ、２２ｂを用いれば、通常、携帯電話機２１に標準的に設けられているＩ／Ｏ端子２２ｂを利用でき、赤外線通信手段または無線通信手段を備える場合より、携帯電話機２１がより安価になるだけでなく、上記通信手段のためのスペースを有効に利用できる。
【００５７】
さらに、携帯電話機２１に備えた赤外線通信手段または無線通信手段に対応する手段が卓上ホルダ１１に設けられていても、メーカーや機種が異なることにより卓上ホルダ１１とデータの送受信ができない場合には、携帯電話機２１にＩ／Ｏ端子２２ｂを備えていれば、Ｉ／Ｏ端子とＵＳＢポートとを接続するケーブルを用いて、携帯電話機２１のＩ／Ｏ端子２２ｂと卓上ホルダ１１のＵＳＢポート１３とを接続して、データを送受信するようにしてもよい。
【００５８】
【発明の効果】
本発明は以上説明したように構成されているので、以下に記載する効果を奏する。
【００５９】
本発明では、携帯電話機の電池の充電が開始されると、携帯電話機に格納されたデータが充電器用ホルダに送信されて充電器用ホルダの記憶部に格納され、さらに、コンピュータが起動すると充電器用ホルダの記憶部に格納されたデータがコンピュータに送信されて格納される。
【００６０】
そのため、過去に携帯電話機からコンピュータに入力されて保存されたデータを編集できるだけでなく、保存されたデータから使用者の希望するデータを携帯電話機にダウンロードすることができる。
【００６１】
また、携帯電話機に格納されたデータが携帯電話機のメモリ部の障害などにより消去されても、コンピュータにデータが保存されているため、使用者が必要なデータを選択して携帯電話機にダウンロードさせることができる。
【図面の簡単な説明】
【図１】本発明のデータ保存システムの一実施例の要部構成を示す外観斜視図である。
【図２】本発明のデータ保存システムの一実施例の構成を示すブロック図である。
【図３】本発明のデータ保存システムにおける他の実施例の要部構成を示す外観斜視図である。
【符号の説明】
１１　　卓上ホルダ
１２ａ、２２ａ　　ＩｒＤＡ部
１２ｂ、２２ｂ　　Ｉ／Ｏコネクタ
１３、３３　　ＵＳＢポート
１４　　メモリ
１５　　プリント基板
１６　　コンセントプラグ
１７　　ホルダ制御部
２１　　携帯電話機
２４　　メモリ
２５　　情報制御部
２６　　操作部
２７　　表示部
２８　　電池
３１　　コンピュータ
３４　　記憶装置
３５　　制御装置
４０　　ケーブル
【図１】
2004015511.tif 000003
【図２】
2004015511.tif 000004
【図３】
2004015511.tif 000005